(57)【要約】【課題】負正２成分ズームにプラスチックレンズを効果的に配し、特にデジタルスチルカメラに適した、小型，高画質で安価なズームレンズを提供する。【解決手段】物体側から順に、負の第１レンズ群Ｇｒ１、正の第２レンズ群Ｇｒ２、正の第３レンズ群Ｇｒ３で構成され、少なくとも第１レンズ群Ｇｒ１と第２レンズ群Ｇｒ２が移動し、第１レンズ群Ｇｒ１と第２レンズ群Ｇｒ２との間隔、及び第２レンズ群Ｇｒ２と第３レンズ群Ｇｒ３との間隔を変えることにより変倍を行う。第２レンズ群Ｇｒ２が正レンズと負レンズをそれぞれ少なくとも１枚有し、第２レンズ群Ｇｒ２を構成するレンズの内、少なくとも１枚が条件式：｜φＰ／φ２｜＜２．５を満足するプラスチックレンズであり、条件式：０．２５＜φ２／φＷ＜０．７５を満足する(φＰ：プラスチックレンズのパワー、φ２：第２レンズ群のパワー、φＷ：広角端での全系のパワー)。【選択図】図１
2006276897.tif 000002
【特許請求の範囲】
【請求項１】
物体側から順に、負のパワーを有する第１レンズ群と、正のパワーを有する第２レンズ群と、正のパワーを有する第３レンズ群とで構成され、少なくとも第１レンズ群と第２レンズ群が移動し、第１レンズ群と第２レンズ群との間隔、及び第２レンズ群と第３レンズ群との間隔を変えることにより、変倍を行うズームレンズであって、前記第２レンズ群が正レンズと負レンズをそれぞれ少なくとも１枚有し、前記第２レンズ群を構成するレンズの内、少なくとも１枚が以下の条件式(4)を満足するプラスチックレンズであり、以下の条件式(11)を満足することを特徴とするズームレンズ；
｜φＰ／φ２｜＜２．５  …(4)
０．２５＜φ２／φＷ＜０．７５  …(11)
ただし、
φＰ：プラスチックレンズのパワー、
φ２：第２レンズ群のパワー、
φＷ：広角端での全系のパワー、
である。
【請求項２】
前記第１レンズ群及び第２レンズ群を構成するレンズの内、それぞれ少なくとも１枚がプラスチックレンズであり、以下の条件式(14)を満足することを特徴とする請求項１記載のズームレンズ；
０．５＜ｌｏｇ（β２Ｔ／β２Ｗ）／ｌｏｇＺ＜２．２  …(14)
ただし、
β２Ｗ：広角端での第２レンズ群の横倍率、
β２Ｔ：望遠端での第２レンズ群の横倍率、
Ｚ：ズーム比、
ｌｏｇ：自然対数（ただし条件式では比を取っているので、底数は限定されない）、
である。
【請求項３】
前記第２レンズ群及び第３レンズ群を構成するレンズの内、それぞれ少なくとも１枚がプラスチックレンズであり、以下の条件式(16)を満足することを特徴とする請求項１又は２記載のズームレンズ；
−０．７５＜ｌｏｇ（β３Ｔ／β３Ｗ）／ｌｏｇ（β２Ｔ／β２Ｗ）＜０．６５  …(16)
ただし、
β２Ｗ：広角端での第２レンズ群の横倍率、
β２Ｔ：望遠端での第２レンズ群の横倍率、
β３Ｗ：広角端での第３レンズ群の横倍率、
β３Ｔ：望遠端での第３レンズ群の横倍率、
ｌｏｇ：自然対数（ただし条件式では比を取っているので、底数は限定されない）、
である。
【請求項４】
前記第２レンズ群が最も像側にプラスチックレンズを有することを特徴とする請求項１〜３のいずれか１項に記載のズームレンズ。
【請求項５】
前記第２レンズ群が、物体側から順に、正レンズと、負レンズと、正レンズ又は負レンズと、のレンズ３枚から成ることを特徴とする請求項４記載のズームレンズ。
【発明の詳細な説明】
【技術分野】
【０００１】
本発明は、ズームレンズに関するものであり、更に詳しくは、特にデジタルスチルカメラに適した、小型で安価なズームレンズに関するものである。
【背景技術】
【０００２】
近年、パーソナルコンピュータの普及に伴い、フロッピー（登録商標）ディスク等に手軽に画像を取り込めるデジタルスチルカメラが普及しつつある。このようなデジタルスチルカメラの普及に伴い、より安価なデジタルスチルカメラが求められてきており、撮影光学系にもより一層のコストダウンが要望されている。一方、光電変換素子の画素数は年々増加の傾向にあり、撮影光学系にはより高性能なものが求められているので、コストダウンと高性能化という、相反する要求に応えていく必要がある。
【０００３】
このため、従来より、例えば特許文献１，２に記載されている如く、負のパワーを持つ第１群と、正のパワーをそれぞれ持つ第２群，第３群とより成り、プラスチックレンズを使用していると思われる光学系の構成が開示されている。
【特許文献１】特開平６−２０１９９３号公報
【特許文献２】特開平１−１９１８２０号公報
【発明の開示】
【発明が解決しようとする課題】
【０００４】
しかしながら、上記特許文献１，２に開示されているような構成では、まだまだ小型，高性能化、コストダウンの余地が残されている。本発明は、このような問題点に鑑み、負正２成分ズームにプラスチックレンズを効果的に配することにより、特にデジタルスチルカメラに適した、小型，高画質で安価なズームレンズを提供することを目的とする。
【課題を解決するための手段】
【０００５】
上記目的を達成するために、第１の発明のズームレンズは、物体側から順に、負のパワーを有する第１レンズ群と、正のパワーを有する第２レンズ群と、正のパワーを有する第３レンズ群とで構成され、少なくとも第１レンズ群と第２レンズ群が移動し、第１レンズ群と第２レンズ群との間隔、及び第２レンズ群と第３レンズ群との間隔を変えることにより、変倍を行うズームレンズであって、前記第２レンズ群が正レンズと負レンズをそれぞれ少なくとも１枚有し、前記第２レンズ群を構成するレンズの内、少なくとも１枚が以下の条件式(4)を満足するプラスチックレンズであり、以下の条件式(11)を満足することを特徴とする。
｜φＰ／φ２｜＜２．５  …(4)
０．２５＜φ２／φＷ＜０．７５  …(11)
ただし、
φＰ：プラスチックレンズのパワー、
φ２：第２レンズ群のパワー、
φＷ：広角端での全系のパワー、
である。
【０００６】
第２の発明のズームレンズは、上記第１の発明において、前記第１レンズ群及び第２レンズ群を構成するレンズの内、それぞれ少なくとも１枚がプラスチックレンズであり、以下の条件式(14)を満足することを特徴とする。
０．５＜ｌｏｇ（β２Ｔ／β２Ｗ）／ｌｏｇＺ＜２．２  …(14)
ただし、
β２Ｗ：広角端での第２レンズ群の横倍率、
β２Ｔ：望遠端での第２レンズ群の横倍率、
Ｚ：ズーム比、
ｌｏｇ：自然対数（ただし条件式では比を取っているので、底数は限定されない）、
である。
【０００７】
第３の発明のズームレンズは、上記第１又は第２の発明において、前記第２レンズ群及び第３レンズ群を構成するレンズの内、それぞれ少なくとも１枚がプラスチックレンズであり、以下の条件式(16)を満足することを特徴とする。
−０．７５＜ｌｏｇ（β３Ｔ／β３Ｗ）／ｌｏｇ（β２Ｔ／β２Ｗ）＜０．６５  …(16)
ただし、
β２Ｗ：広角端での第２レンズ群の横倍率、
β２Ｔ：望遠端での第２レンズ群の横倍率、
β３Ｗ：広角端での第３レンズ群の横倍率、
β３Ｔ：望遠端での第３レンズ群の横倍率、
ｌｏｇ：自然対数（ただし条件式では比を取っているので、底数は限定されない）、
である。
【０００８】
第４の発明のズームレンズは、上記第１〜第３のいずれか１つの発明において、前記第２レンズ群が最も像側にプラスチックレンズを有することを特徴とする。
【０００９】
第５の発明のズームレンズは、上記第４の発明において、前記第２レンズ群が、物体側から順に、正レンズと、負レンズと、正レンズ又は負レンズと、のレンズ３枚から成ることを特徴とする。
【発明の効果】
【００１０】
以上説明したように、本発明によれば、負正２成分ズームにプラスチックレンズを効果的に配することにより、特にデジタルスチルカメラに適した、小型，高画質で安価なズームレンズを提供することができる。
【発明を実施するための最良の形態】
【００１１】
以下、本発明の実施の形態について、図面を参照しながら説明する。図１〜図９は、それぞれ第１〜第９の実施形態のズームレンズの光学系の構成を示している。ただし、第２，第３，第５の実施形態は本発明の参考のためのものであり、本発明に属さないものである。各図の左側が物体側、右側が像側である。なお、各図中の矢印は、ズーム時の各レンズ群の広角端から望遠端への移動の様子を模式的に表したものである。破線で表す矢印は、移動しないことを示している。また、各図はそのズーム時の広角端の状態を示している。そして、各図に示すように、各実施形態は負正正３成分ズームであり、物体側から順に、第１レンズ群Ｇｒ１，第２レンズ群Ｇｒ２，第３レンズ群Ｇｒ３から構成され、少なくとも２つのレンズ群が移動するタイプである。
【００１２】
Ｇｒ１は全体として負のパワーを有する。また、Ｇｒ２及びＧｒ３は全体として正のパワーを有する。物体側から順に、１枚目〜８枚目のレンズをそれぞれＧ１〜Ｇ８とする。各実施形態の各レンズ群は、それぞれこれらのレンズを適宜組み合わせた構成となっている。そして、Ｇｒ２には絞りＳが含まれている。なお、像側端部の平行平板はローパスフィルターＬＰＦである。
【００１３】
図１に示すように、第１の実施形態では、同図の斜線で示す物体側から２枚目（Ｇ２）及び６枚目（Ｇ６）のレンズがプラスチックレンズである。また、図２に示すように、第２の実施形態では、同図の斜線で示す物体側から２枚目（Ｇ２），及び７枚目（Ｇ７）のレンズがプラスチックレンズである。
【００１４】
さらに、図３に示すように、第３の実施形態では、同図の斜線で示す物体側から１枚目（Ｇ１）及び７枚目（Ｇ７）のレンズがプラスチックレンズである。また、図４に示すように、第４の実施形態では、同図の斜線で示す物体側から２枚目（Ｇ２）及び５枚目（Ｇ５）のレンズがプラスチックレンズである。また、図５に示すように、第５の実施形態では、同図の斜線で示す物体側から１枚目（Ｇ１）及び７枚目（Ｇ７）のレンズがプラスチックレンズである。
【００１５】
また、図６に示すように、第６の実施形態では、同図の斜線で示す物体側から２枚目（Ｇ２）及び５枚目（Ｇ５）のレンズがプラスチックレンズである。また、図７に示すように、第７の実施形態では、同図の斜線で示す物体側から２枚目（Ｇ２），５枚目（Ｇ５），６枚目（Ｇ６），及び７枚目（Ｇ７）のレンズがプラスチックレンズである。
【００１６】
さらに、図８に示すように、第８の実施形態では、同図の斜線で示す物体側から２枚目（Ｇ２），５枚目（Ｇ５），６枚目（Ｇ６），７枚目（Ｇ７）及び８枚目（Ｇ８）のレンズがプラスチックレンズである。最後に、図９に示すように、第９の実施形態では、同図の斜線で示す物体側から２枚目（Ｇ２），６枚目（Ｇ６），及び７枚目（Ｇ７）のレンズがプラスチックレンズである。
【００１７】
以下に、光学系について望ましい条件を記す。上記各実施形態の光学系は、以下の条件式(1)を満足することが望ましい。
−０．８＜Ｃｐ×（Ｎ’−Ｎ）／φＷ＜０．８  …(1)
ただし、
Ｃｐ：プラスチックレンズ曲率
φＷ：広角端での全系のパワー
Ｎ  ：非球面の物体側媒質のｄ線の屈折率
Ｎ’：非球面の像側媒質のｄ線の屈折率
である。
【００１８】
条件式(1)は、プラスチックレンズの面のパワーを規定する式である。面のパワーが強すぎると、温度変化に伴う面形状の変化により、諸収差が劣化する。この条件式の下限値以下になると、負のパワーが強くなりすぎ、逆に、上限値以上になると、正のパワーが強くなりすぎるため、第１レンズ群のプラスチックレンズの場合、主に温度変化に伴う像面湾曲の変動が大きくなる。また、第２レンズ群のプラスチックレンズの場合、主に温度変化に伴う球面収差の変動が大きくなる。そして、第３レンズ群のプラスチックレンズの場合、主に温度変化に伴う球面収差、及び周辺光束のコマ収差の変動が大きくなる。
【００１９】
各実施形態の光学系は、以下の条件式(2)を満足することが望ましい。
−０．４５＜Ｍ３／Ｍ２＜０．９０  …(2)
ただし、
Ｍ３：第３レンズ群の移動量（広角端を基準にして物体側を−とする）
Ｍ２：第２レンズ群の移動量（広角端を基準にして物体側を−とする）
である。
【００２０】
条件式(2)は、第２レンズ群と第３レンズ群の移動量の比を規定する式であり、変倍を効率よく行うために第２，第３レンズ群の移動量を適切にするための条件である。したがって、ズーム比を確保する必要がある光学系に有効であり、
φＷ／φＴ＞１．６
を満たすことが更に望ましい。
ただし、
φＴ：望遠端での全系のパワー
である。
【００２１】
条件式(2)の下限値以下になると、第３レンズ群の変倍負担が大きくなり過ぎるため、変倍による球面収差、及び周辺光束のコマ収差の変動が著しくなる。逆に、上限値以上になると、第２レンズ群の移動量が増大し、広角側での周辺照度確保のため、前玉径の増大を招くとともに、第２レンズ群の変倍負担が大きくなり過ぎるため、変倍による球面収差の変動が大きくなる。
【００２２】
また、第３レンズ群にプラスチックレンズを用いる場合、第３レンズ群の収差補正能力が低下する傾向にあるので、上記条件式(2)の範囲を縮小して、
−０．３０＜Ｍ３／Ｍ２＜０．９０  …(2')
とすることが望ましい。
【００２３】
また、第１レンズ群にプラスチックレンズを用いる場合、以下の条件式(3)を満足することが望ましい。
｜φＰ／φ１｜＜１．２０  …(3)
ただし、
φＰ：プラスチックレンズのパワー
φ１：第１レンズ群のパワー
である。
【００２４】
条件式(3)は、第１レンズ群のパワーと第１レンズ群に含まれるプラスチックレンズのパワーとの比を規定する式であり、温度変化に伴う収差変動を適切に保つための条件である。この条件式の上限値以上になると、温度変化による像面湾曲、特に広角側での像面湾曲の変動が大きくなる。また、第１レンズ群で生じる収差補正に関しては、少なくとも１枚の正レンズと１枚の負レンズとを設けることが望ましい。
【００２５】
また、第２レンズ群にプラスチックレンズを用いる場合、以下の条件式(4)を満足することが望ましい。
｜φＰ／φ２｜＜２．５  …(4)
ただし、
φ２：第２レンズ群のパワー
である。
【００２６】
条件式(4)は、第２レンズ群のパワーと第２レンズ群に含まれるプラスチックレンズのパワーとの比を規定する式であり、温度変化に伴う収差変動を適切に保つための条件である。この条件式の上限値以上になると、温度変化による球面収差、特に望遠側での球面収差の変動が大きくなる。また、第２レンズ群で生じる収差補正に関しては、少なくとも１枚の正レンズと１枚の負レンズとを設けることが望ましい。
【００２７】
また、第３レンズ群にプラスチックレンズを用いる場合、以下の条件式(5)を満足することが望ましい。
｜φＰ／φ３｜＜１．７０  …(5)
ただし、
φ３：第３レンズ群のパワー
である。
【００２８】
条件式(5)は、第３レンズ群のパワーと第３レンズ群に含まれるプラスチックレンズのパワーとの比を規定する式であり、温度変化に伴う収差変動を適切に保つための条件である。この条件式の上限値以上になると、温度変化による球面収差、及び周辺光束のコマ収差の変動が大きくなる。また、第３レンズ群で生じる収差補正に関しては、少なくとも１枚の正レンズと１枚の負レンズとを設けることが望ましい。
【００２９】
条件式(3),(4),(5)については、下限値を規定していないが、条件式の値が小さくなるということは、プラスチックレンズのパワーが弱くなることを意味し、温度変化による収差変動に対しては望ましい方向である。しかし、常温時の収差補正に対しては効果がなく、プラスチックレンズを設けている意味がなくなるので、プラスチックレンズが以下の条件式(6)を満足する場合、非球面を必ず設けることが必要である。
【００３０】
０≦｜φＰ／φＡ｜＜０．４５  …(6)
ただし、
φＡ：プラスチックレンズを含むレンズ群のパワー
である。無論、この条件式の上限値以上となるプラスチックレンズに非球面を設けても差し支えない。
【００３１】
以上のように非球面を設ける場合、以下の条件式を満足することが望ましい。まず、第１レンズ群のプラスチックレンズに非球面を設ける場合、以下の条件式(7)を満足することが望ましい。
−１．１０＜（｜Ｘ｜−｜Ｘ0｜）／{Ｃ0（Ｎ’−Ｎ）・ｆ１}＜−０．１０  …(7)
【００３２】
ただし、
Ｃ0：非球面の基準球面曲率
Ｎ’：非球面の像側媒質のｄ線の屈折率
Ｎ  ：非球面の物体側媒質のｄ線の屈折率
Ｘ  ：非球面の光軸と垂直方向高さでの光軸方向の変位量（物体側方向−）
Ｘ0 ：非球面基準球面の光軸と垂直方向高さでの光軸方向の変位量（物体側方向−）
ｆ１：第１レンズ群の焦点距離
である。
【００３３】
条件式(7)の下限値以下になると、広角側、特に近接時での正の歪曲収差が大きくなるとともに、像面のオーバー側への倒れが大きくなる。逆に、上限値以上になると、非球面の効果が殆ど得られず、非球面を設ける意味が無くなり、広角側、特に近接時での負の歪曲収差、像面のアンダー側への倒れが補正不足となる。なお、第１レンズ群に非球面が複数ある場合、少なくともその１面がこの条件式を満足していれば良く、他の面は他の収差との兼ね合いでこの条件式を満足していなくても差し支えない。
【００３４】
次に、第２レンズ群のプラスチックレンズに非球面を設ける場合、以下の条件式(8)を満足することが望ましい。
−０．３５＜（｜Ｘ｜−｜Ｘ0｜）／{Ｃ0（Ｎ’−Ｎ）・ｆ２}＜−０．０３  …(8)
ただし、
ｆ２：第２レンズ群の焦点距離
である。
【００３５】
条件式(8)は、非球面が第２レンズ群の正のパワーを弱めるような形状であることを意味しており、主に球面収差を適切に補正するための条件である。この条件式の下限値以下になると、主に望遠側での球面収差のオーバー傾向が著しくなる。逆に、上限値以上になると、非球面の効果が殆ど得られず、非球面を設ける意味が無くなり、主に望遠側での球面収差が補正不足となる。なお、第２レンズ群に非球面が複数ある場合、少なくともその１面がこの条件式を満足していれば良く、他の面は他の収差との兼ね合いでこの条件式を満足していなくても差し支えない。
【００３６】
また、第３レンズ群のプラスチックレンズに非球面を設ける場合、以下の条件式(9)を満足することが望ましい。
−０．７０＜（｜Ｘ｜−｜Ｘ0｜）／{Ｃ0（Ｎ’−Ｎ）・ｆ３}＜−０．０１  …(9)
ただし、
ｆ３：第３レンズ群の焦点距離
である。
【００３７】
条件式(9)は、非球面が第３レンズ群の正のパワーを弱めるような形状であることを意味しており、球面収差と周辺光束のコマ収差を適切に補正するための条件である。この条件式の下限値以下になると、球面収差のオーバー傾向及び周辺光束のコマ収差が著しくなる。逆に、上限値以上になると、非球面の効果が殆ど得られず、非球面を設ける意味が無くなり、球面収差及び周辺光束のコマ収差が補正不足となる。なお、第３レンズ群に非球面が複数ある場合、少なくともその１面がこの条件式を満足していれば良く、他の面は他の収差との兼ね合いでこの条件式を満足していなくても差し支えない。
【００３８】
また、各実施形態の光学系は、以下の条件式(10)を満足することが望ましい。
０．２０＜｜φ１／φＷ｜＜０．７０  …(10)
条件式(10)は、第１レンズ群のパワーを規定する式であり、収差補正及び光学系の大きさを適切に保つための条件である。この条件式の下限値以下になると、第１レンズ群のパワーが弱くなりすぎるため、収差補正には有利であるが、全長及び前玉径の増大を招く。逆に、上限値以上になると、第１レンズ群のパワーが強くなりすぎるため、収差劣化、特にオーバー側への像面の倒れが著しくなるとともに、広角側での樽型の歪曲収差が著しくなり、屈折率が低く、分散値が限定されるプラスチックレンズを用いると、十分に補正することが困難となり、レンズ枚数の増加を招く。
【００３９】
また、各実施形態の光学系は、以下の条件式(11)を満足することが望ましい。
０．２５＜φ２／φＷ＜０．７５  …(11)
条件式(11)は、第２レンズ群のパワーを規定する式であり、収差補正及び光学系の大きさを適切に保つための条件である。条件式(11)の下限値以下になると、第２レンズ群のパワーが弱くなりすぎるため、収差補正には有利であるが、全長及び前玉径の増大を招く。逆に、上限値以上になると、第２レンズ群のパワーが強くなりすぎるため、収差劣化、特に球面収差のアンダー傾向が著しくなり、屈折率が低く、分散値が限定されるプラスチックレンズを用いると、十分に補正することが困難となり、レンズ枚数の増加を招く。
【００４０】
また、各実施形態の光学系は、以下の条件式(12)を満足することが望ましい。
０．１＜φ３／φＷ＜０．６０  …(12)
条件式(12)は、第３レンズ群のパワーを規定する式であり、収差補正及び光学系の大きさを適切に保つための条件である。条件式(12)の下限値以下になると、第３レンズ群のパワーが弱くなりすぎるため、収差補正には有利であるが、全長及び前玉径の増大を招く。逆に、上限値以上になると、第３レンズ群のパワーが強くなりすぎるため、収差劣化、特に球面収差のアンダー傾向が著しくなり、屈折率が低く、分散値が限定されるプラスチックレンズを用いると、十分に補正することが困難となり、レンズ枚数の増加を招く。
【００４１】
また、条件式(10),(11),(12)の上限値以上になると、プラスチックレンズのパワーが強くなる傾向にあるので、条件式(3)と(10)、条件式(4)と(11)、条件式(5)と(12)は同時に満たすことが更に望ましい。
【００４２】
また、各実施形態の光学系は、以下の条件式(13)を満足することが望ましい。
−１．４＜ΣφＰｉ／φＷ×ｈｉ＜１．４  …(13)
ただし、
φＰｉ：ｉ番目のプラスチックレンズのパワー
ｈｉ：近軸追跡における初期条件を換算傾角α１＝０，高さｈ１＝１としたときの、望遠端でのｉ番目のプラスチックレンズへの近軸軸上光線の物体側面入射高さ
である。
【００４３】
条件式(13)は、温度変化に伴うレンズバックの変化を抑制するための条件であり、各プラスチックレンズの温度変化に伴うレンズバックの影響度の総和である。したがって、プラスチックレンズを複数枚使用する際には、各々影響度を打ち消し合うように、正レンズと負レンズとを含むことが望ましい。この条件式の下限値以下になると、負のパワーを有するプラスチックレンズの温度変化によるバック変動が大きくなり、逆に、上限値以上になると、正のパワーを有するプラスチックレンズの温度変化によるバック変動が大きくなるため、いずれの場合も、温度変化に応じてレンズバックを補正するための機構が必要となる。
【００４４】
また、各実施形態の光学系は、以下の条件式(14)を満足することが望ましい。
０．５＜ｌｏｇ（β２Ｔ／β２Ｗ）／ｌｏｇＺ＜２．２  …(14)
ただし、
β２Ｗ：広角端での第２レンズ群の横倍率
β２Ｔ：望遠端での第２レンズ群の横倍率
Ｚ：ズーム比
ｌｏｇ：自然対数（ただし条件式では比を取っているので、底数は限定されない）
である。
【００４５】
本発明のズームタイプでは、第２レンズ群の変倍負担が最も大きい。変倍負担が大きくなると、変倍に伴う収差劣化もそれに応じて大きくなるので、良好に収差補正を行うには、変倍負担を複数のレンズ群で分担させることが効率的である。条件式(14)は、本発明のズームタイプとしては変倍負担が最も大きい第２レンズ群の変倍負担を規定する式である。
【００４６】
この条件式の下限値以下になると、第２レンズ群の変倍負担が小さくなり過ぎるため、第２レンズ群の収差補正には有利であるが、光学系として他の群の収差負担に影響があり、結局他の群のレンズ枚数が増えたり光学系全体が大きくなったりする。逆に、上限値以上になると、変倍負担が大きくなり過ぎるため、主に変倍による球面収差の変動が大きくなる。
【００４７】
また、各実施形態の光学系は、以下の条件式(15)を満足することが望ましい。
−１．２＜ｌｏｇ（β３Ｔ／β３Ｗ）／ｌｏｇＺ＜０．５  …(15)
ただし、
β３Ｗ：広角端での第３レンズ群の横倍率
β３Ｔ：望遠端での第３レンズ群の横倍率
である。
【００４８】
条件式(15)は、第３レンズ群の変倍負担を規定する式である。この条件式がマイナスになるということは、減倍していることを意味しており、変倍に関しては不利となるが、変倍時に移動することにより、変倍時の他のレンズによる収差劣化を補正する効果がある。この条件式の下限値以下になると、減倍し過ぎるため、結局他のレンズ群でその分を補う必要があり、他のレンズ群のレンズ枚数の増加や光学系全体の全長増加を招く。逆に、上限値以上になると、変倍負担が大きくなり過ぎるため、変倍により球面収差及びコマ収差の変動が大きくなる。
【００４９】
また、各実施形態の光学系は、以下の条件式(16)を満足することが望ましい。
−０．７５＜ｌｏｇ（β３Ｔ／β３Ｗ）／ｌｏｇ（β２Ｔ／β２Ｗ）＜０．６５  …(16)
条件式(16)は、第２レンズ群と第３レンズ群の変倍負担の比を規定する式である。この条件式の下限値以下になると、第３レンズ群の減倍に伴う第２レンズ群の変倍負担が大きくなり過ぎるため、変倍による球面収差の変動が大きくなる。逆に、上限値以上になると、第３レンズ群の変倍負担が大きくなり過ぎるため、変倍による球面収差、及びコマ収差の変動が大きくなる。
【００５０】
以下、本発明に係るズームレンズの光学系の構成を、コンストラクションデータ，収差図等を挙げて、更に具体的に示す。なお、以下に挙げる実施例１〜９は、前述した第１〜第９の実施形態にそれぞれ対応しており、第１〜第９の実施形態を表すレンズ構成図（図１〜図９）は、対応する実施例１〜９のレンズ構成をそれぞれ示している。したがって、第２，第３，第５の実施形態にそれぞれ対応する実施例２，３，５は本発明の単なる参考例であり、本発明に属さないものである。
【００５１】
各実施例において、ri(i=1,2,3...)は、物体側から数えてi番目の面及びその曲率半径を示し、di(i=1,2,3...)は、物体側から数えてi番目の軸上面間隔を示し、Ni(i=1,2,3...)，νi(i=1,2,3...)は、それぞれ物体側から数えてi番目のレンズのｄ線に対する屈折率，アッベ数を示す。また、実施例中の全系の焦点距離ｆ，及び全系のＦナンバーＦＮＯ、並びに第１レンズ群と第２レンズ群との間隔，第２レンズ群と第３レンズ群との間隔，及び第３レンズ群とＬＰＦとの間隔は、左から順に、広角端（Ｗ），中間焦点距離（Ｍ），望遠端（Ｔ）でのそれぞれの値に対応している。なお、各実施例中、曲率半径に＊印を付した面は、非球面で構成された面であることを示し、非球面の面形状を表す式は、以下に定義する。
【００５２】
Ｘ＝Ｘ0＋ΣAiＹi  …(a)
Ｘ0＝ＣＹ2／{１＋（１−εＣ2Ｙ2）1/2}  …(b)
ただし、
Ｘ：光軸方向の基準面からの変位量
Ｙ：光軸と垂直な方向の高さ
Ｃ：近軸曲率
ε：２次曲面パラメータ
Ai：ｉ次の非球面係数
である。
【００５３】
《実施例１》
ｆ=5.4mm 〜 7.5mm〜10.5mm  （全系焦点距離）
FNO=2.74  〜3.11  〜 3.60    （Ｆナンバー）
[曲率半径] [軸上面間隔] [屈折率(Nd)] [アッベ数(νd)]
r1=  13.380
d1= 0.650    N1=1.75450   ν1= 51.57
r2=   5.890
d2= 1.499
r3*= 12.328
d3= 1.400    N2=1.52510   ν2= 56.38
r4=   5.632
d4= 1.632
r5=   7.068
d5= 1.753    N3=1.84777   ν3= 27.54
r6=  10.246
d6=10.406 〜 5.264 〜 1.500
r7=  ∞（絞り）
d7= 1.500
r8=   5.643
d8= 1.901    N4=1.79073   ν4= 46.15
r9= -74.805
d9= 0.921
r10=-12.842
d10= 0.600   N5=1.72145   ν5= 25.50
r11=  5.928
d11= 0.400
r12*=11.144
d12= 2.170   N6=1.52510   ν6= 56.38
r13= -9.099
d13= 1.000 〜 3.519 〜 7.154
r14= 11.107
d14= 3.164   N7=1.51680   ν7= 64.20
r15= 56.703
d15= 0.796
r16=   ∞
d16= 3.400   N8=1.54426   ν8= 69.60
r17=   ∞
【００５４】
[第３面(r3)の非球面係数]
ε= 0.10000×10
A4= 0.38905×10-3
A6= 0.24379×10-5
A8= 0.38282×10-6
[第１２面(r12)の非球面係数]
ε= 0.10000×10
A4=-0.13386×10-2
A6=-0.11975×10-4
A8=-0.53773×10-5
【００５５】
《実施例２》
ｆ=5.4mm 〜 7.5mm〜10.5mm  （全系焦点距離）
FNO=2.73  〜3.10  〜 3.60    （Ｆナンバー）
[曲率半径] [軸上面間隔] [屈折率(Nd)] [アッベ数(νd)]
r1=  14.718
d1= 0.650    N1=1.75450   ν1= 51.57
r2=   6.639
d2= 1.307
r3*= 11.594
d3= 1.400    N2=1.52510   ν2= 56.38
r4=   5.294
d4= 1.465
r5=   6.937
d5= 1.858    N3=1.84759   ν3= 26.85
r6=  10.034
d6=10.621 〜 5.340 〜 1.500
r7=  ∞（絞り）
d7= 1.500
r8=   6.969
d8= 2.905    N4=1.85000   ν4= 40.04
r9= -11.743
d9= 0.210
r10= -8.399
d10= 1.855   N5=1.72131   ν5= 25.51
r11=  5.522
d11= 0.400
r12= 11.032
d12= 2.012   N6=1.75450   ν6= 51.57
r13=-21.657
d13= 1.000 〜 3.398 〜 6.919
r14*= 8.536
d14= 3.241   N7=1.52510   ν7= 56.38
r15= 29.006
d15= 0.676
r16=   ∞
d16= 3.400   N8=1.54426   ν8= 69.60
r17=   ∞
【００５６】
[第３面(r3)の非球面係数]
ε= 0.10000×10
A4= 0.35342×10-3
A6= 0.71258×10-6
A8= 0.33647×10-6
[第１４面(r14)の非球面係数]
ε= 0.10000×10
A4=-0.23473×10-3
A6= 0.43912×10-5
A8= 0.10409×10-6
【００５７】
《実施例３》
ｆ=5.4mm 〜 7.5mm〜10.5mm  （全系焦点距離）
FNO=2.75  〜3.10  〜 3.60    （Ｆナンバー）
[曲率半径] [軸上面間隔] [屈折率(Nd)] [アッベ数(νd)]
r1*= 14.652
d1= 1.200    N1=1.58340   ν1= 30.23
r2=   8.289
d2= 1.623
r3=  26.068
d3= 0.900    N2=1.79271   ν2= 45.90
r4=   5.496
d4= 1.179
r5=   7.356
d5= 1.921    N3=1.84666   ν3= 23.82
r6=  15.373
d6=10.224 〜 5.176 〜 1.500
r7=  ∞（絞り）
d7= 1.500
r8=   7.124
d8= 3.411    N4=1.85000   ν4= 40.04
r9= -11.538
d9= 0.154
r10= -8.339
d10= 1.713   N5=1.72418   ν5= 25.37
r11=  5.686
d11= 0.401
r12= 10.731
d12= 2.078   N6=1.75450   ν6= 51.57
r13=-18.326
d13= 1.000 〜 3.307 〜 6.708
r14*= 8.148
d14= 3.002   N7=1.52510   ν7= 56.38
r15= 16.995
d15= 0.795
r16=   ∞
d16= 3.400   N8=1.54426   ν8= 69.60
r17=   ∞
【００５８】
[第１面(r1)の非球面係数]
ε= 0.10000×10
A4= 0.15951×10-3
A6= 0.14779×10-6
A8= 0.56026×10-7
[第１４面(r14)の非球面係数]
ε= 0.10000×10
A4=-0.27776×10-3
A6= 0.23365×10-5
A8= 0.19731×10-6
【００５９】
《実施例４》
ｆ=5.4mm 〜 7.5mm〜10.5mm  （全系焦点距離）
FNO=2.73  〜3.10  〜 3.60    （Ｆナンバー）
[曲率半径] [軸上面間隔] [屈折率(Nd)] [アッベ数(νd)]
r1=  52.355
d1= 1.100    N1=1.72677   ν1= 52.55
r2=   6.927
d2= 3.324
r3*= 23.902
d3= 1.940    N2=1.58340   ν2= 30.23
r4=-100.448
d4=14.827 〜 7.138 〜 1.500
r5=  ∞（絞り）
d5= 1.500
r6=   5.036
d6= 3.339    N3=1.77742   ν3= 47.95
r7= -12.586
d7= 0.234
r8= -10.396
d8= 0.800    N4=1.79850   ν4= 22.60
r9=  16.524
d9= 0.740
r10= -7.142
d10= 1.200   N5=1.58340   ν5= 30.23
r11*=-26.834
d11= 1.000 〜 2.921 〜 5.663
r12= 15.086
d12= 2.096   N6=1.48749   ν6= 70.44
r13=-14.941
d13= 0.500
r14=   ∞
d14= 3.400   N7=1.54426   ν7= 69.60
r15=   ∞
【００６０】
[第３面(r3)の非球面係数]
ε= 0.10000×10
A4= 0.24908×10-3
A6=-0.62198×10-7
A8= 0.10295×10-6
[第１１面(r11)の非球面係数]
ε= 0.10000×10
A4= 0.39625×10-2
A6= 0.16585×10-3
A8= 0.13563×10-4
【００６１】
《実施例５》
ｆ=5.4mm 〜 7.5mm〜10.5mm  （全系焦点距離）
FNO=2.75  〜3.11  〜 3.60    （Ｆナンバー）
[曲率半径] [軸上面間隔] [屈折率(Nd)] [アッベ数(νd)]
r1*= 17.928
d1= 1.200    N1=1.58340   ν1= 30.23
r2=   9.608
d2= 1.325
r3=  19.410
d3= 0.900    N2=1.80280   ν2= 44.68
r4=   5.204
d4= 1.288
r5=   7.294
d5= 1.940    N3=1.84666   ν3= 23.82
r6=  14.586
d6=10.102 〜 5.348 〜 1.500
r7=  ∞（絞り）
d7= 1.500
r8=   6.594
d8= 4.206    N4=1.81063   ν4= 43.80
r9= -10.411
d9= 0.208
r10= -7.270
d10= 0.600   N5=1.70098   ν5= 26.53
r11=  5.447
d11= 0.504
r12= 10.684
d12= 2.062   N6=1.75450   ν6= 51.57
r13=-20.769
d13= 1.000 〜 3.880 〜 6.996
r14*= 6.351
d14= 2.209   N7=1.52510   ν7= 56.38
r15= 12.184
d15= 1.055 〜 0.800 〜 1.067
r16=   ∞
d16= 3.400   N8=1.54426   ν8= 69.60
r17=   ∞
【００６２】
[第１面(r1)の非球面係数]
ε= 0.10000×10
A4= 0.19398×10-3
A6= 0.47895×10-6
A8= 0.46069×10-7
[第１４面(r14)の非球面係数]
ε= 0.10000×10
A4=-0.37579×10-3
A6=-0.11089×10-5
A8= 0.87379×10-7
【００６３】
《実施例６》
ｆ=5.4mm 〜 7.5mm〜10.5mm  （全系焦点距離）
FNO=2.97  〜3.27  〜 3.60    （Ｆナンバー）
[曲率半径] [軸上面間隔] [屈折率(Nd)] [アッベ数(νd)]
r1=-112.214
d1= 1.200    N1=1.63347   ν1= 56.87
r2=   7.682
d2= 1.473
r3*= 17.799
d3= 2.175    N2=1.58340   ν2= 30.23
r4= 274.206
d4=16.482 〜 8.078 〜 1.500
r5=  ∞（絞り）
d5= 1.500
r6=   5.066
d6= 2.164    N3=1.84746   ν4= 40.25
r7= -15.255
d7= 0.208
r8= -13.752
d8= 0.800    N4=1.79850   ν5= 22.60
r9=   7.640
d9= 0.352
r10*= 8.419
d10= 1.200   N5=1.58340   ν6= 30.23
r11=  4.700
d11= 1.000 〜 1.802 〜 2.808
r12= 40.534
d12= 2.262   N6=1.51838   ν7= 66.35
r13*=-6.756
d13= 1.131 〜 2.007 〜 3.472
r14=   ∞
d14= 3.400   N7=1.54426   ν8= 69.60
r15=   ∞
【００６４】
[第３面(r3)の非球面係数]
ε= 0.10000×10
A4= 0.24372×10-3
A6=-0.10309×10-6
A8= 0.84837×10-7
[第１０面(r10)の非球面係数]
ε= 0.10000×10
A4=-0.35107×10-2
A6=-0.17279×10-3
A8=-0.80824×10-5
[第１３面(r13)の非球面係数]
ε= 0.10000×10
A4= 0.11613×10-3
A6=-0.34635×10-4
A8= 0.66386×10-6
【００６５】
《実施例７》
ｆ=5.4mm 〜 8.0mm〜12.0mm  （全系焦点距離）
FNO=2.55  〜2.95  〜 3.60    （Ｆナンバー）
[曲率半径] [軸上面間隔] [屈折率(Nd)] [アッベ数(νd)]
r1=  64.355
d1= 0.650    N1=1.48749   ν1= 70.44
r2=   9.616
d2= 1.136
r3*= 15.072
d3= 1.400    N2=1.52510   ν2= 56.38
r4=   6.352
d4= 1.939
r5=   8.584
d5= 2.060    N3=1.84877   ν3= 32.01
r6=  12.547
d6=15.531 〜 7.207 〜 1.500
r7=  ∞（絞り）
d7= 1.500
r8=   5.666
d8= 3.346    N4=1.75450   ν4= 51.57
r9=  -8.847
d9= 0.100
r10= -7.390
d10= 0.600   N5=1.58340   ν5= 30.23
r11=  4.818
d11= 0.400
r12*= 6.048
d12= 2.459   N6=1.52510   ν6= 56.38
r13=  9.906
d13= 1.000 〜 3.334 〜 6.995
r14= 11.941
d14= 1.979   N7=1.52510   ν7= 56.38
r15*=-29.235
d15= 0.500
r16=   ∞
d16= 3.400   N8=1.54426   ν8= 69.60
r17=   ∞
【００６６】
[第３面(r3)の非球面係数]
ε= 0.10000×10
A4= 0.17978×10-3
A6=-0.30828×10-6
A8= 0.71904×10-7
[第１２面(r12)の非球面係数]
ε= 0.10000×10
A4=-0.18066×10-2
A6=-0.54257×10-4
A8=-0.76508×10-5
[第１５面(r15)の非球面係数]
ε= 0.10000×10
A4= 0.29756×10-3
A6=-0.62953×10-5
A8=-0.77785×10-7
【００６７】
《実施例８》
ｆ=5.4mm 〜 8.8mm〜14.0mm  （全系焦点距離）
FNO=2.34  〜2.84  〜 3.60    （Ｆナンバー）
[曲率半径] [軸上面間隔] [屈折率(Nd)] [アッベ数(νd)]
r1=  25.623
d1= 0.650    N1=1.48749   ν1= 70.44
r2=   9.290
d2= 1.626
r3*= 19.577
d3= 1.400    N2=1.52510   ν2= 56.38
r4=   5.973
d4= 2.273
r5=   7.949
d5= 2.008    N3=1.84807   ν3= 28.75
r6=  10.541
d6=16.801 〜 7.154 〜 1.500
r7=  ∞（絞り）
d7= 1.500
r8=   5.107
d8= 2.743    N4=1.64626   ν4= 56.17
r9=  -9.178
d9= 0.100
r10= -8.533
d10= 0.600   N5=1.58340   ν5= 30.23
r11=  7.962
d11= 0.849
r12*= 7.572
d12= 1.401   N6=1.52510   ν6= 56.38
r13=  8.290
d13= 1.000 〜 4.278 〜 9.371
r14*= 9.062
d14= 1.423   N7=1.58340   ν7= 30.23
r15=  6.924
d15= 0.747
r16= 11.941
d16= 1.979   N8=1.52510   ν8= 56.38
r17*=-29.488
d17= 0.500
r18=   ∞
d18= 3.400   N9=1.54426   ν8= 69.60
r19=   ∞
【００６８】
[第３面(r3)の非球面係数]
ε= 0.10000×10
A4= 0.16055×10-3
A6= 0.48397×10-7
A8= 0.67121×10-7
[第１２面(r12)の非球面係数]
ε= 0.10000×10
A4=-0.25048×10-2
A6=-0.87701×10-4
A8=-0.12082×10-4
[第１４面(r14)の非球面係数]
ε= 0.10000×10
A4=-0.52484×10-3
A6= 0.58442×10-5
A8= 0.87159×10-8
[第１７面(r17)の非球面係数]
ε= 0.10000×10
A4=-0.91828×10-3
A6=-0.59033×10-5
A8= 0.27335×10-6
【００６９】
《実施例９》
ｆ=5.4mm 〜 7.5mm〜13.5mm  （全系焦点距離）
FNO=2.08  〜2.48  〜 3.60    （Ｆナンバー）
[曲率半径] [軸上面間隔] [屈折率(Nd)] [アッベ数(νd)]
r1=  14.018
d1= 0.650    N1=1.74388   ν1= 51.93
r2=   6.286
d2= 1.790
r3*= 17.191
d3= 1.400    N2=1.52510   ν2= 56.38
r4=   5.770
d4= 0.907
r5=   6.726
d5= 1.953    N3=1.84666   ν3= 23.82
r6=  10.531
d6= 9.731 〜 5.843 〜 1.500
r7=  ∞（絞り）
d7= 1.500
r8=   6.489
d8= 1.774    N4=1.85000   ν4= 40.04
r9=  52.968
d9= 0.665
r10=-31.304
d10= 0.600   N5=1.77185   ν5= 23.46
r11=  6.642
d11= 0.400
r12*=11.190
d12= 2.101   N6=1.52510   ν6= 56.38
r13= -9.334
d13= 1.000 〜 5.310 〜15.247
r14=-10.861
d14= 1.200   N7=1.58340   ν7= 30.23
r15*=16.708
d15= 0.100
r16= 12.354
d16= 2.934   N8=1.84353   ν8= 40.59
r17=-10.876
d17= 2.914 〜 2.385 〜 0.717
r18=   ∞
d18= 3.400   N9=1.54426   ν9= 69.60
r19=   ∞
【００７０】
[第３面(r3)の非球面係数]
ε= 0.10000×10
A4= 0.28799×10-3
A6= 0.40089×10-5
A8= 0.14823×10-6
[第１２面(r12)の非球面係数]
ε= 0.10000×10
A4=-0.62816×10-3
A6=-0.22891×10-4
A8= 0.42945×10-6
[第１５面(r15)の非球面係数]
ε= 0.10000×10
A4= 0.60130×10-3
A6=-0.42374×10-5
A8= 0.11268×10-7
【００７１】
また、図１０〜図１８は、それぞれ前記実施例１〜９に対応する無限遠の収差図であり、各図において、上段は広角端〔Ｗ〕、中段は中間焦点距離〔Ｍ〕、下段は望遠端〔Ｔ〕をそれぞれ表している。そして、球面収差図において、実線（ｄ）はｄ線を表し、破線（ＳＣ）は正弦条件を表している。また、非点収差図において、実線（ＤＳ）と破線（ＤＭ）は、それぞれサジタル面とメリディオナル面での非点収差を表している。実施例１〜９は、上記各条件式を満足する。また以下に、各実施例１〜９における、前記条件式(1)〜(5),(10)〜(16)に対応する値を示す。
【００７２】
|φP/φW|  |φP/φ1|  |φP/φ2|  |φP/φ3|  M3/M2
実施例１  G2:     0.25       0.63                           0.00
G6:     0.55                  1.10
実施例２  G2:     0.27       0.72                           0.00
G7:     0.25                              1.00
実施例３  G1:     0.15       0.39                           0.00
G7:     0.20                              1.00
実施例４  G2:     0.16       0.59                           0.00
G5:     0.32                   0.68
実施例５  G1:     0.14       0.38                           0.00
G7:     0.24                   0.47       1.00
実施例６  G2:     0.17       0.57                           0.56
G5:     0.26                   0.65
実施例７  G2:     0.24       0.86                           0.00
G5:     1.10                   2.27
G6:     0.22                   0.46
G7:     0.33                              1.00
実施例８  G2:     0.32       0.97                           0.00
G5:     0.78                   1.64
G6:     0.05                   0.11
G7:     0.08                              0.35
G8:     0.33                              1.40
実施例９  G2:     0.31271     0.79                          -0.18
G6:     0.5375                 1.19
G7:     0.48626                           1.38
【００７３】
log(β2T/β2W)/logZ     log(β3T/β3W)/logZ
実施例１  G2:        1.00                    0.00
実施例２  G2:        1.00                    0.00
実施例３  G1:        1.00                    0.00
実施例４  G2:        0.99                    0.01
実施例５  G1:        1.00                    0.00
実施例６  G2:        1.87                   -0.87
実施例７  G2:        0.99                    0.01
実施例８  G2:        1.00                    0.00
実施例９  G2:        0.75                    0.25
【００７４】
log(β3T/β3W)/log(β2T/β2W)
実施例１  G2:        0.00
実施例２  G2:        0.00
実施例３  G1:        0.00
実施例４  G2:        0.01
実施例５  G1:        0.00
実施例６  G2:       -0.46
実施例７  G2:        0.01
実施例８  G2:        0.00
実施例９  G2:        0.34
【００７５】
φP/φW×h    ΣφPi/φW×hi
実施例１  G2:      -0.27
G6:       0.66          0.39
実施例２  G2:      -0.28
G7:       0.17         -0.12
実施例３  G1:      -0.15
G7:       0.14         -0.01
実施例４  G2:       0.21
G5:      -0.30         -0.09
実施例５  G1:      -0.14
G7:       0.16          0.02
実施例６  G2:       0.19
G5:      -0.26         -0.08
実施例７  G2:      -0.26
G5:      -1.20
G6:       0.23
G7:       0.16         -1.06
実施例８  G2:      -0.33
G5:      -0.93
G6:       0.06
G7:      -0.04
G8:       0.14         -1.10
実施例９  G2:      -0.34
G6:       0.68
G7:      -0.25          0.09
【００７６】
|φ1/φW|   φ2/φW    φ3/φW
実施例１  G2:      0.40       0.50       0.21
実施例２  G2:      0.37       0.50       0.25
実施例３  G1:      0.40       0.52       0.20
実施例４  G2:      0.27       0.47       0.34
実施例５  G1:      0.38       0.51       0.24
実施例６  G2:      0.29       0.40       0.48
実施例７  G2:      0.29       0.48       0.33
実施例８  G2:      0.33       0.47       0.23
実施例９  G2:      0.39       0.45       0.35
【００７７】
Cp×(N’-N)/φW
物体側      像側
実施例１  G2:      0.23      -0.50
G6:      0.25       0.31
実施例２  G2:      0.25      -0.54
G7:      0.33      -0.10
実施例３  G1:      0.22      -0.38
G7:      0.35      -0.17
実施例４  G2:      0.13       0.031
G5:     -0.44       0.12
実施例５  G1:      0.18      -0.33
G7:      0.45      -0.23
実施例６  G2:      0.18      -0.01
G5:      0.37      -0.67
実施例７  G2:      0.19      -0.45
G5:     -0.43      -0.65
G6:      0.47      -0.29
G7:      0.24       0.10
実施例８  G2:      0.15      -0.48
G5:     -0.37      -0.40
G6:      0.37      -0.34
G7:      0.35      -0.46
G8:      0.24       0.10
実施例９  G2:      0.17      -0.49
G6:      0.25       0.30
G7:     -0.29      -0.19
【００７８】
また以下に、上記非球面の条件式(7)〜(9)に対応する値を示す。ここでのＹは非球面最大光路高さである。
【００７９】
《実施例１》
[第３面(r3)の値]
〔高さ〕          (|X|-|X0|)/{C0(N’-N)・f1}
0.00Y                -0.00000
0.20Y                -0.00036
0.40Y                -0.00585
0.60Y                -0.03124
0.80Y                -0.10983
1.00Y                -0.31946
[第１２面(r12)の値]
〔高さ〕          (|X|-|X0|)/{C0(N’-N)・f2}
0.00Y                 0.00000
0.20Y                -0.00016
0.40Y                -0.00266
0.60Y                -0.01382
0.80Y                -0.04620
1.00Y                -0.12441
【００８０】
《実施例２》
[第３面(r3)の値]
〔高さ〕          (|X|-|X0|)/{C0(N’-N)・f1}
0.00Y                -0.00000
0.20Y                -0.00040
0.40Y                -0.00645
0.60Y                -0.03442
0.80Y                -0.12249
1.00Y                -0.36724
[第１４面(r14)の値]
〔高さ〕          (|X|-|X0|)/{C0(N’-N)・f3}
0.00Y                 0.00000
0.20Y                -0.00005
0.40Y                -0.00072
0.60Y                -0.00343
0.80Y                -0.00979
1.00Y                -0.02004
【００８１】
《実施例３》
[第１面(r1)の値]
〔高さ〕          (|X|-|X0|)/{C0(N’-N)・f1}
0.00Y                -0.00000
0.20Y                -0.00047
0.40Y                -0.00762
0.60Y                -0.04017
0.80Y                -0.13975
1.00Y                -0.40512
[第１４面(r14)の値]
〔高さ〕          (|X|-|X0|)/{C0(N’-N)・f3}
0.00Y                 0.00000
0.20Y                -0.00007
0.40Y                -0.00103
0.60Y                -0.00497
0.80Y                -0.01421
1.00Y                -0.02846
【００８２】
《実施例４》
[第３面(r3)の値]
〔高さ〕          (|X|-|X0|)/{C0(N’-N)・f1}
0.00Y                -0.00000
0.20Y                -0.00034
0.40Y                -0.00549
0.60Y                -0.02824
0.80Y                -0.09332
1.00Y                -0.24896
[第１１面(r11)の値]
〔高さ〕          (|X|-|X0|)/{C0(N’-N)・f2}
0.00Y                 0.00000
0.20Y                -0.00086
0.40Y                -0.01414
0.60Y                -0.07574
0.80Y                -0.26114
1.00Y                -0.14147
【００８３】
《実施例５》
[第１面(r1)の値]
〔高さ〕          (|X|-|X0|)/{C0(N’-N)・f1}
0.00Y                -0.00000
0.20Y                -0.00077
0.40Y                -0.01256
0.60Y                -0.06639
0.80Y                -0.22928
1.00Y                -0.65070
[第１４面(r14)の値]
〔高さ〕          (|X|-|X0|)/{C0(N’-N)・f3}
0.00Y                 0.00000
0.20Y                -0.00008
0.40Y                -0.00129
0.60Y                -0.00655
0.80Y                -0.02065
1.00Y                -0.04955
【００８４】
《実施例６》
[第３面(r3)の値]
〔高さ〕          (|X|-|X0|)/{C0(N’-N)・f1}
0.00Y                -0.00000
0.20Y                -0.00041
0.40Y                -0.00663
0.60Y                -0.03428
0.80Y                -0.11465
1.00Y                -0.31309
[第１０面(r10)の値]
〔高さ〕          (|X|-|X0|)/{C0(N’-N)・f2}
0.00Y                 0.00000
0.20Y                -0.00016
0.40Y                -0.00260
0.60Y                -0.01388
0.80Y                -0.04736
1.00Y                -0.12790
【００８５】
《実施例７》
[第３面(r3)の値]
〔高さ〕          (|X|-|X0|)/{C0(N’-N)・f1}
0.00Y                -0.00000
0.20Y                -0.00058
0.40Y                -0.00940
0.60Y                -0.04961
0.80Y                -0.17667
1.00Y                -0.53893
[第１２面(r12)の値]
〔高さ〕          (|X|-|X0|)/{C0(N’-N)・f2}
0.00Y                 0.00000
0.20Y                -0.00011
0.40Y                -0.00182
0.60Y                -0.00969
0.80Y                -0.03330
1.00Y                -0.09218
[第１５面(r15)の値]
〔高さ〕          (|X|-|X0|)/{C0(N’-N)・f3}
0.00Y                 0.00000
0.20Y                -0.00033
0.40Y                -0.00502
0.60Y                -0.02364
0.80Y                -0.06629
1.00Y                -0.13286
【００８６】
《実施例８》
[第３面(r3)の値]
〔高さ〕          (|X|-|X0|)/{C0(N’-N)・f1}
0.00Y                -0.00000
0.20Y                -0.00082
0.40Y                -0.01333
0.60Y                -0.07171
0.80Y                -0.26196
1.00Y                -0.82010
[第１２面(r12)の値]
〔高さ〕          (|X|-|X0|)/{C0(N’-N)・f2}
0.00Y                 0.00000
0.20Y                -0.00020
0.40Y                -0.00328
0.60Y                -0.01759
0.80Y                -0.06132
1.00Y                -0.17301
[第１４面(r14)の値]
〔高さ〕          (|X|-|X0|)/{C0(N’-N)・f3}
0.00Y                 0.00000
0.20Y                -0.00020
0.40Y                -0.00311
0.60Y                -0.01525
0.80Y                -0.04605
1.00Y                -0.10564
[第１７面(r17)の値]
〔高さ〕          (|X|-|X0|)/{C0(N’-N)・f3}
0.00Y                 0.00000
0.20Y                 0.00068
0.40Y                 0.01090
0.60Y                 0.05583
0.80Y                 0.17801
1.00Y                 0.43402
【００８７】
《実施例９》
[第３面(r3)の値]
〔高さ〕          (|X|-|X0|)/{C0(N’-N)・f1}
0.00Y                -0.00000
0.20Y                -0.00048
0.40Y                -0.00802
0.60Y                -0.04370
0.80Y                -0.15559
1.00Y                -0.44995
[第１２面(r12)の値]
〔高さ〕          (|X|-|X0|)/{C0(N’-N)・f2}
0.00Y                 0.00000
0.20Y                -0.00007
0.40Y                -0.00110
0.60Y                -0.00579
0.80Y                -0.01922
1.00Y                -0.04962
[第１５面(r15)の値]
〔高さ〕          (|X|-|X0|)/{C0(N’-N)・f3}
0.00Y                 0.00000
0.20Y                -0.00067
0.40Y                -0.01051
0.60Y                -0.05178
0.80Y                -0.15744
1.00Y                -0.36553
【００８８】
また、図１９は、第１０の実施形態のズームレンズの光学系の構成を示している。同図の左側が物体側、右側が像側である。なお、図中の矢印は、ズーム時の各レンズ群の広角端から望遠端への移動の様子を模式的に表したものである。破線で表す矢印は、移動しないことを示している。また、同図はそのズーム時の広角端の状態を示している。そして、同図に示すように、本実施形態は負正正３成分ズームであり、物体側から順に、第１レンズ群Ｇｒ１，第２レンズ群Ｇｒ２，第３レンズ群Ｇｒ３から構成され、２つのレンズ群が移動するタイプである。
【００８９】
Ｇｒ１は全体として負のパワーを有する。また、Ｇｒ２及びＧｒ３は全体として正のパワーを有する。物体側から順に、１枚目〜６枚目のレンズをそれぞれＧ１〜Ｇ６とする。本実施形態の各レンズ群は、それぞれこれらのレンズを適宜組み合わせた構成となっている。そして、Ｇｒ２には絞りＳが含まれている。なお、像側端部の平行平板はローパスフィルターＬＰＦである。同図に示すように、本実施形態では、同図の斜線で示す物体側から１枚目（Ｇ１）及び５枚目（Ｇ５）のレンズがプラスチックレンズである。
【００９０】
以下に挙げる実施例１０のコンストラクションデータは、前述した第１０の実施形態に対応しており、第１０の実施形態を表すレンズ構成図（図１９）は、対応する実施例１０のレンズ構成を示している。また、実施例１０のコンストラクションデータの表示の構成は、上記実施例１〜９で示したものと同様である。
【００９１】
《実施例１０》
ｆ=5.4mm 〜 8.4mm〜15.6mm  （全系焦点距離）
FNO=2.57  〜3.04  〜 4.20    （Ｆナンバー）
[曲率半径] [軸上面間隔] [屈折率(Nd)] [アッベ数(νd)]
r1*=-34.564
d1= 1.600    N1=1.52510   ν1= 56.38
r2*=  7.185
d2= 3.500
r3=  10.666
d3= 2.344    N2=1.75000   ν2= 25.14
r4=  17.516
d4=22.572 〜11.179 〜 1.713
r5=  ∞（絞り）
d5= 1.500
r6=   8.000
d6= 2.941    N3=1.80420   ν3= 46.50
r7=  -8.598
d7= 0.010    N4=1.51400   ν4= 42.83
r8=  -8.598
d8= 0.600    N5=1.70055   ν5= 30.11
r9=   8.182
d9= 0.200
r10*= 5.244
d10= 3.249   N6=1.52510   ν6= 56.38
r11*= 6.000
d11= 2.740 〜 5.844 〜13.277
r12= 21.195
d12= 2.000   N7=1.48749   ν7= 70.44
r13=-16.672
d13= 1.086
r14=   ∞
d14= 3.400   N8=1.51680   ν8= 64.20
r15=   ∞
【００９２】
[第１面(r1)の非球面係数]
ε= 0.10000×10
A4= 0.43400×10-3
A6=-0.55461×10-5
A8= 0.27915×10-7
[第２面(r2)の非球面係数]
ε= 0.10000×10
A4= 0.26861×10-3
A6= 0.25040×10-5
A8=-0.23353×10-6
[第１０面(r10)の非球面係数]
ε= 0.10000×10
A4=-0.30306×10-3
A6=-0.13415×10-4
A8=-0.19911×10-5
[第１１面(r11)の非球面係数]
ε= 0.10000×10
A4= 0.19342×10-2
A6= 0.59893×10-4
A8=-0.42081×10-5
【００９３】
また、図２０は、前記実施例１０に対応する無限遠の収差図であり、同図において、上段は広角端〔Ｗ〕、中段は中間焦点距離〔Ｍ〕、下段は望遠端〔Ｔ〕をそれぞれ表している。そして、球面収差図において、実線（ｄ）はｄ線を表し、破線（ＳＣ）は正弦条件を表している。また、非点収差図において、実線（ＤＳ）と破線（ＤＭ）は、それぞれサジタル面とメリディオナル面での非点収差を表している。
【００９４】
続いて、実施例１０における、前記条件式(1)〜(4),(10),(11),(13),(14)に対応する値を示す。
【００９５】
|φP/φ1|  |φP/φ2|  M3/M2
1.698      0.417     0
【００９６】
log(β2T/β2W)/logZ
0.998
【００９７】
ΣφPi/φW×hi
-0.265
【００９８】
|φ1/φW|   φ2/φW
0.284      0.405
【００９９】
Cp×(N’-N)/φW
r1:      0.082
r2:      0.395
r10:    -0.541
r11:     0.473
【０１００】
なお、上述した実施形態や実施例には以下の構成(#1)〜(#8)が含まれている。
【０１０１】
(#1)  物体側から順に、負のパワーを有する第１レンズ群と、少なくとも１枚の正レンズと１枚の負レンズとから成り、正のパワーを有する第２レンズ群と、正のパワーを有する第３レンズ群とで構成され、少なくとも２つのレンズ群が移動し、第１レンズ群と第２レンズ群との間隔、及び第２レンズ群と第３レンズ群との間隔を変えることにより、変倍を行うズームレンズであって、前記レンズ群を構成するレンズの内、少なくとも１枚がプラスチックレンズであるとともに、以下の条件式を満足することを特徴とするズームレンズ；
−０．８＜Ｃｐ×（Ｎ’−Ｎ）／φＷ＜０．８
−０．４５＜Ｍ３／Ｍ２＜０．９０（ただし、φＷ／φＴ＞１．６）
ただし、
Ｃｐ：プラスチックレンズ曲率、
φＷ：広角端での全系のパワー、
Ｎ  ：非球面の物体側媒質のｄ線の屈折率、
Ｎ’：非球面の像側媒質のｄ線の屈折率、
Ｍ３：第３レンズ群の移動量（広角端を基準にして物体側を−とする）、
Ｍ２：第２レンズ群の移動量（広角端を基準にして物体側を−とする）、
φＴ：望遠端での全系のパワー、
である。
【０１０２】
(#2)  物体側から順に、少なくとも１枚の正レンズと１枚の負レンズとから成り、負のパワーを有する第１レンズ群と、正のパワーを有する第２レンズ群と、正のパワーを有する第３レンズ群とで構成され、少なくとも２つのレンズ群が移動し、第１レンズ群と第２レンズ群との間隔、及び第２レンズ群と第３レンズ群との間隔を変えることにより、変倍を行うズームレンズであって、前記第１レンズ群を構成するレンズの内、少なくとも１枚がプラスチックレンズであるとともに、以下の条件式を満足することを特徴とするズームレンズ；
｜φＰ／φ１｜＜１．２０
０．２０＜｜φ１／φＷ｜＜０．７０
−０．４５＜Ｍ３／Ｍ２＜０．９０（ただし、φＷ／φＴ＞１．６）
ただし、
φＰ：プラスチックレンズのパワー、
φ１：第１レンズ群のパワー、
φＷ：広角端での全系のパワー、
Ｍ３：第３レンズ群の移動量（広角端を基準にして物体側を−とする）、
Ｍ２：第２レンズ群の移動量（広角端を基準にして物体側を−とする）、
φＴ：望遠端での全系のパワー、
である。
【０１０３】
(#3)  物体側から順に、負のパワーを有する第１レンズ群と、少なくとも１枚の正レンズと１枚の負レンズとから成り、正のパワーを有する第２レンズ群と、正のパワーを有する第３レンズ群とで構成され、第１レンズ群と第２レンズ群との間隔、及び第２レンズ群と第３レンズ群との間隔を変えることにより、変倍を行うズームレンズであって、前記第２レンズ群を構成するレンズの内、少なくとも１枚がプラスチックレンズであるとともに、以下の条件式を満足することを特徴とするズームレンズ；
｜φＰ／φ２｜＜２．５
０．２５＜φ２／φＷ＜０．７５
ただし、
φＰ：プラスチックレンズのパワー、
φ２：第２レンズ群のパワー、
φＷ：広角端での全系のパワー、
である。
【０１０４】
(#4)  物体側から順に、負のパワーを有する第１レンズ群と、正のパワーを有する第２レンズ群と、正のパワーを有する第３レンズ群とで構成され、少なくとも２つのレンズ群が移動し、第１レンズ群と第２レンズ群との間隔、及び第２レンズ群と第３レンズ群との間隔を変えることにより、変倍を行うズームレンズであって、前記第３レンズ群を構成するレンズの内、少なくとも１枚がプラスチックレンズであるとともに、以下の条件式を満足することを特徴とするズームレンズ；
−０．３０＜Ｍ３／Ｍ２＜０．９０
｜φＰ／φ３｜＜１．７０
０．１＜φ３／φＷ＜０．６０
ただし、
Ｍ３：第３レンズ群の移動量（広角端を基準にして物体側を−とする）、
Ｍ２：第２レンズ群の移動量（広角端を基準にして物体側を−とする）、
φＰ：プラスチックレンズのパワー、
φ３：第３レンズ群のパワー、
φＷ：広角端での全系のパワー、
である。
【０１０５】
(#5)  前記プラスチックレンズが以下の条件式を満足することを特徴とする上記(#2)〜(#4)のいずれか１項に記載のズームレンズ；
−１．４＜ΣφＰｉ／φＷ×ｈｉ＜１．４
ただし、
φＰｉ：ｉ番目のプラスチックレンズのパワー、
ｈｉ：近軸追跡における初期条件を換算傾角α１＝０，高さｈ１＝１としたときの、望遠端でのｉ番目のプラスチックレンズへの近軸軸上光線の物体側面入射高さ、
である。
【０１０６】
(#6)  物体側から順に、負のパワーを有する第１レンズ群と、正のパワーを有する第２レンズ群と、正のパワーを有する第３レンズ群とで構成され、少なくとも２つのレンズ群が移動し、第１レンズ群と第２レンズ群との間隔、及び第２レンズ群と第３レンズ群との間隔を変えることにより、変倍を行うズームレンズであって、前記第１レンズ群及び第２レンズ群を構成するレンズの内、それぞれ少なくとも１枚がプラスチックレンズであるとともに、以下の条件式を満足することを特徴とするズームレンズ；
−１．４＜ΣφＰｉ／φＷ×ｈｉ＜１．４
０．５＜ｌｏｇ（β２Ｔ／β２Ｗ）／ｌｏｇＺ＜２．２
ただし、
φＰｉ：ｉ番目のプラスチックレンズのパワー、
φＷ：広角端での全系のパワー、
ｈｉ：近軸追跡における初期条件を換算傾角α１＝０，高さｈ１＝１としたときの、望遠端でのｉ番目のプラスチックレンズへの近軸軸上光線の物体側面入射高さ、
β２Ｗ：広角端での第２レンズ群の横倍率、
β２Ｔ：望遠端での第２レンズ群の横倍率、
Ｚ：ズーム比、
ｌｏｇ：自然対数（ただし条件式では比を取っているので、底数は限定されない）、
である。
【０１０７】
(#7)  物体側から順に、負のパワーを有する第１レンズ群と、少なくとも１枚の正レンズと１枚の負レンズとから成り、正のパワーを有する第２レンズ群と、正のパワーを有する第３レンズ群とで構成され、少なくとも２つのレンズ群が移動し、第１レンズ群と第２レンズ群との間隔、及び第２レンズ群と第３レンズ群との間隔を変えることにより、変倍を行うズームレンズであって、前記第１レンズ群及び第３レンズ群を構成するレンズの内、それぞれ少なくとも１枚がプラスチックレンズであるとともに、以下の条件式を満足することを特徴とするズームレンズ；
−１．４＜ΣφＰｉ／φＷ×ｈｉ＜１．４
−１．２＜ｌｏｇ（β３Ｔ／β３Ｗ）／ｌｏｇＺ＜０．５
ただし、
φＰｉ：ｉ番目のプラスチックレンズのパワー、
φＷ：広角端での全系のパワー、
ｈｉ：近軸追跡における初期条件を換算傾角α１＝０，高さｈ１＝１としたときの、望遠端でのｉ番目のプラスチックレンズへの近軸軸上光線の物体側面入射高さ、
β３Ｗ：広角端での第３レンズ群の横倍率、
β３Ｔ：望遠端での第３レンズ群の横倍率、
Ｚ：ズーム比、
ｌｏｇ：自然対数（ただし条件式では比を取っているので、底数は限定されない）、
である。
【０１０８】
(#8)  物体側から順に、負のパワーを有する第１レンズ群と、少なくとも１枚の正レンズと１枚の負レンズとから成り、正のパワーを有する第２レンズ群と、正のパワーを有する第３レンズ群とで構成され、少なくとも２つのレンズ群が移動し、第１レンズ群と第２レンズ群との間隔、及び第２レンズ群と第３レンズ群との間隔を変えることにより、変倍を行うズームレンズであって、前記第２レンズ群及び第３レンズ群を構成するレンズの内、それぞれ少なくとも１枚がプラスチックレンズであるとともに、以下の条件式を満足することを特徴とするズームレンズ；
−１．４＜ΣφＰｉ／φＷ×ｈｉ＜１．４
−０．７５＜ｌｏｇ（β３Ｔ／β３Ｗ）／ｌｏｇ（β２Ｔ／β２Ｗ）＜０．６５
ただし、
φＰｉ：ｉ番目のプラスチックレンズのパワー、
φＷ：広角端での全系のパワー、
ｈｉ：近軸追跡における初期条件を換算傾角α１＝０，高さｈ１＝１としたときの、望遠端でのｉ番目のプラスチックレンズへの近軸軸上光線の物体側面入射高さ、
β２Ｗ：広角端での第２レンズ群の横倍率、
β２Ｔ：望遠端での第２レンズ群の横倍率、
β３Ｗ：広角端での第３レンズ群の横倍率、
β３Ｔ：望遠端での第３レンズ群の横倍率、
ｌｏｇ：自然対数（ただし条件式では比を取っているので、底数は限定されない）、
である。
【図面の簡単な説明】
【０１０９】
【図１】第１の実施形態のズームレンズの光学系の構成を示す図。
【図２】第２の実施形態のズームレンズの光学系の構成を示す図。
【図３】第３の実施形態のズームレンズの光学系の構成を示す図。
【図４】第４の実施形態のズームレンズの光学系の構成を示す図。
【図５】第５の実施形態のズームレンズの光学系の構成を示す図。
【図６】第６の実施形態のズームレンズの光学系の構成を示す図。
【図７】第７の実施形態のズームレンズの光学系の構成を示す図。
【図８】第８の実施形態のズームレンズの光学系の構成を示す図。
【図９】第９の実施形態のズームレンズの光学系の構成を示す図。
【図１０】実施例１に対応する無限遠の収差図。
【図１１】実施例２に対応する無限遠の収差図。
【図１２】実施例３に対応する無限遠の収差図。
【図１３】実施例４に対応する無限遠の収差図。
【図１４】実施例５に対応する無限遠の収差図。
【図１５】実施例６に対応する無限遠の収差図。
【図１６】実施例７に対応する無限遠の収差図。
【図１７】実施例８に対応する無限遠の収差図。
【図１８】実施例９に対応する無限遠の収差図。
【図１９】第１０の実施形態のズームレンズの光学系の構成を示す図。
【図２０】実施例１０に対応する無限遠の収差図。
【符号の説明】
【０１１０】
Ｇ１〜Ｇ８    レンズ
ＬＰＦ    ローパスフィルター
Ｇｒ１    第１レンズ群
Ｇｒ２    第２レンズ群
Ｇｒ３    第３レンズ群
Ｓ    絞り
【図１】
2006276897.tif 000003
【図２】
2006276897.tif 000004
【図３】
2006276897.tif 000005
【図４】
2006276897.tif 000006
【図５】
2006276897.tif 000007
【図６】
2006276897.tif 000008
【図７】
2006276897.tif 000009
【図８】
2006276897.tif 000010
【図９】
2006276897.tif 000011
【図１０】
2006276897.tif 000012
【図１１】
2006276897.tif 000013
【図１２】
2006276897.tif 000014
【図１３】
2006276897.tif 000015
【図１４】
2006276897.tif 000016
【図１５】
2006276897.tif 000017
【図１６】
2006276897.tif 000018
【図１７】
2006276897.tif 000019
【図１８】
2006276897.tif 000020
【図１９】
2006276897.tif 000021
【図２０】
2006276897.tif 000022